(57)【要約】 【課題】  頭部に着用される雨傘において、その折り畳み開閉構造が簡易で、雨天時の使用で、着用姿勢での保水部からの雨水をスムーズに排水できるとともに、携帯時に嵩張らない排水手段を有する頭部着用雨傘を提供すること。【解決手段】  天ろくろ１に係合される親骨が、中間の接合座１１で２分されて折り畳み自在に接合され、頭部に着用して使用される開状態で、傘布下端に保水部８が形成されて成る雨傘において、  天ろくろ１の下面に頂部をテーパ状に形成した嵌合凸部２を下向きに垂設する。天ろくろ１３にはその上面に嵌合筒部１４を立設する。前記接合座１１の支点と下ろくろ１３の周縁に接合される受骨１２は、その長さが下ろくろ１３の嵌合筒部１４を天ろくろ１の嵌合凸部２に外嵌した状態で上に凸状に弾性変形する長さであり、下ろくろ１３又は下ろくろ１３を挟む一対の受骨１２にＵ状の引き手１５が垂設される。このほか、保水部８の特定位置に偏平になり易い柔軟な防水布製の排水ホース１０が接続される。【選択図】図１
2006212139.tif 000002
【特許請求の範囲】
【請求項１】
天ろくろの周縁に揺動自在に係合される親骨が、中間の接合座で上下に分割されて折り畳み自在に接合され、頭部に着用して使用される開状態で傘布下端に保水部が形成されて成る雨傘において、
天ろくろの下面に頂部をテーパ状に形成した嵌合凸部を下向きに垂設し、天ろくろにはその上面に前記嵌合凸部に嵌合する嵌合筒部を立設し、前記接合座の支点に一端が揺動自在に接合され、他端が下ろくろの周縁に揺動自在に接合される受骨が、下ろくろの嵌合筒部を天ろくろの嵌合凸部に外嵌した状態で、上に凸状に弾性変形する長さであり、下ろくろ又は下ろくろを挟む一対の前記受骨にＵ状の引き手を揺動自在に垂設して成り、前記受骨の弾性変形に伴う反力による接合座の支点を中心とする上方への回転モーメントによって下ろくろと天ろくろの嵌合が保持されることを特徴とする頭部着用雨傘。
【請求項２】
頭部着用状態で、顔面と反対側でやや側方寄りの特定位置において、前記保水部に偏平になり易い柔軟な防水布製の排水ホースを接続して成る請求項１記載の頭部着用雨傘。
【発明の詳細な説明】
【技術分野】
【０００１】
本発明は、頭部に着用して使用される折り畳み開閉自在な雨傘に関する。
【背景技術】
【０００２】
本出願人は、先に「折りたたみハット」なる先行技術を特開昭６１−８２７０４号公報（特許文献１）に提案した者であるが、この特許文献１におけるハットの開閉構造が、天ろくろに相当する中央頂面の固定座１と下ろくろに相当する固定盤１１との係合に、スプリング１５と滑子７（延いては連動索１０）を介在させたこと、及び固定座１の上方に位置するキャップ１９と固定盤１１に螺合する引き手１３間に引き紐２１が接合されて開閉操作に関与させたことなどで複雑であった上、前記引き紐２１の関与で固定座１と固定盤１１との嵌合が円筒同志となってその嵌合がスムーズでなかった。また、保水部の雨水を排水するための樹脂製の排水ホースは、折り畳んだ状態で嵩張る欠点がある。
【特許文献１】特開昭６１−８２７０４号公報
【発明の開示】
【発明が解決しようとする課題】
【０００３】
本発明は、頭部に着用される雨傘において、その折り畳み開閉構造が簡易で、雨天時の使用で、着用姿勢での保水部からの雨水をスムーズに排水できるとともに、携帯時に嵩張らない排水手段を有する頭部着用雨傘を提供するものである。
【課題を解決するための手段】
【０００４】
上記課題を解決する本発明の請求項１に記載した頭部着用雨傘は、天ろくろの周縁に揺動自在に係合される親骨が、中間の接合座で上下に分割されて折り畳み自在に接合され、頭部に着用して使用される開状態で、傘布下端に保水部が形成されて成る雨傘において
天ろくろの下面に頂部をテーパ状に形成した嵌合凸部を下向きに垂設し、下ろくろにはその上面に前記嵌合凸部に嵌合する嵌合筒部を立設し、前記接合座の支点に一端が揺動自在に接合され、他端が下ろくろの周縁に揺動自在に接合される受骨が、下ろくろの嵌合筒部を天ろくろの嵌合凸部に外嵌した状態で、上に凸状に弾性変形する長さであり、下ろくろ又は下ろくろを挟む一対の前記受骨にＵ状の引き手を揺動自在に垂設して成る。
また、請求項２に記載した発明は、請求項１に記載した頭部着用雨傘において、頭部着用状態で、顔面と反対側でやや側方寄りの特定位置において、前記保水部に偏平になり易い柔軟な防水布製の排水ホースを接続して成る。
【発明の効果】
【０００５】
本発明の頭部着用雨傘によれば、下ろくろの嵌合筒部は天ろくろのテーパ状頂部に案内されてその嵌合凸部にスムーズに外嵌するとともに、受骨が上方へ凸状に弾性変形することで両者の嵌合状態（着用姿勢）が保持されるとともに、引き手の引き下げで簡単に閉姿勢に折り畳みでき、また、雨天時の雨水は着用姿勢でスムーズに排水ホースによって足元へ排水できるから、野球やサッカーなどのスポーツ観戦のように混み合うスタンドでは、他人への迷惑にならず人に優しい雨具である。また、排水ホースは偏平になり易いため、折り畳み携帯時に嵩張らないものである。なお、傘布の選択によってはUVカットの日除け（日傘）になり得ることは勿論である。
【発明を実施するための最良の形態】
【０００６】
傘布はカラフルなものから、スポーツ観戦向きの点ではUVカットのもので特定色などの量産化もあり、嵌合凸部と嵌合筒部との嵌合を解除する引き手は、金属製（簡易な自在継ぎ手を介す）のものから柔軟な紐状のもので提供される。また、排水ホースは布製に限定するものではなく、他に偏平になり易い材質で防水性を有するものであれば何でもよい。
【実施例】
【０００７】
本発明の頭部着用雨傘Ａを実施例により説明すると、図１に示すように、天ろくろ１の下面に下向きに頂部をテーパ状に形成した弾丸状の嵌合凸部２を垂設し、天ろくろ１の周縁に一端を揺動自在に係合される１０本の第１親骨３はそれぞれの他端を接合部４において第２親骨５を折り畳み開閉自在に接合し、この第２親骨の下端は略直角に３０mm程上方へ折り曲げられ、両親骨３，５に渡って頂面から張られる傘布６は、その頂面は天ろくろ１に螺着するキャップ７で水密的に締結され、その下端部には第２親骨５の下端と協働してＶ状の保水部８が周設され、保水部８には図２に示すように、ネジ座９を介して偏平になり易い柔軟な防水布製の排水ホース１０が接続される。
第１親骨３の中間に配設される接合座１１に一端を揺動自在に接合する１０本の受骨１２は、その長さが開姿勢で上に凸状に弾性変形する寸法でその他端が下ろくろ１３に接合され、下ろくろ１３の上面には嵌合凸部２に嵌合する嵌合筒部１４が立設され、下ろくろ１３を挟んで対向する一対の受骨１２にはＵ状の柔軟な紐による引き手１５が垂設される。
また、一つおきの接合座１１には下方が平板状の吊り手１６が揺動自在に係着され、吊り手１６の各下端には２個の締め具１７で伸縮自在に締め代が調整される頭部係着バンド１８が係止され、顎紐１９も付設される。
【０００８】
このようにして成る頭部着用雨傘Ａは、図２、図３に示すように、雨天時には開かれて排水ホース１０が顔面後方に向けられ、頭部係着バンド１８が頭部に係着されて使用され、雨水２０は傘布６の下端部の保水部８から排水ホース１０で足元に排水される。このように頭部に着用した姿勢が、従来の雨傘を手に持った姿勢に比べて格段にその背丈を低くするものであるから、スポーツ観戦などで他人の目の邪魔にならず、しかも、雨垂れによる他人への心配も解消される。
なお、高校野球（特に夏の甲子園大会）のように雨曝しの応援席、炎天下の応援席での応援が余儀なくされる場合や、サッカーＪリーグでの観戦などの場合はスタンド一帯が同一応援集団となるから、傘布６のカラーを統一するなどの演出効果も期待できる。
【０００９】
着用後は図１の矢印イに示すように、引き手１５に指を掛けて引き下げれば、受骨１２の弾発力が解消して下ろくろ１３の嵌合筒部１４は天ろくろ１の嵌合凸部２から脱却し、第１親骨３は天ろくろ１の係合点を中心受骨１２及び吊り手１６などと共に矢印口の方向に閉じられ、第２親骨５は接合部４の接合点を中心に矢印ハの方向へ折り上げられ、全体としてコンパクトに折り畳まれ、顎紐１９で結束されたり、別途のケース（図外）に収納されて携帯に便利な状態で持ち運びされる。
なお、保水部８は図４に示すように、第２親骨５の下端を円弧状に形成して、着用姿勢の乱れにおいてもその保水性が確保されるとともに、先端の折り曲げによって他人への接触時の安全性が確保される。
【産業上の利用可能性】
【００１０】
本発明の頭部着用雨傘は、折り畳み開閉自在な携帯用傘を改良することで量産可能であるから、傘製造業界を大いに活性化できるものであり、しかも、雨具としてのみならずスポーツ観戦の応援グッズとしてもその販路を拡大できる。
【図面の簡単な説明】
【００１１】
【図１】本発明に係わる頭部着用雨傘Ａの要部説明図。
【図２】同上頭部着用雨傘Ａの頭部着用状態時の正面図。
【図３】図２の平面図。
【図４】保水部８の他の実施態様図。
【符号の説明】
【００１２】
１：天ろくろ
２：嵌合凸部
３：第１親骨
４：接合部
５：第２親骨
６：傘布
７：キャップ
８：保水部
９：ネジ座
１０：排水ホース
１１：接合座
１２：受骨
１３：下ろくろ
１４：嵌合筒部
１５：引き手
１６：吊り手
１７：締め具
１８：頭部係着バンド
１９：顎紐
２０：雨水
Ａ：頭部着用雨傘
【図１】
2006212139.tif 000003
【図２】
2006212139.tif 000004
【図３】
2006212139.tif 000005
【図４】
2006212139.tif 000006